(57)【要約】【課題】従来のブラジャは肩紐で乳房を支えるので肩が凝り、又、紐が肩へ出て、且つ背中にベルトを回して止めるので、美しい肩や背中を見せることが出来なかった。【解決手段】  片面に肌を傷めない感圧性接着剤をコーティングした短冊状シート３２の一端１６を脇の下１５から張り、両乳房を内側に寄せ且つ上方１７へ上げながら徐々に前記短冊シート３２を肌に張り、前記短冊状シート３２の他端をもう片方の脇の方に張ることにより、両乳房を寄せ且つ上げ且つ肩紐が無く背ベルトを無くする。【選択図】  図１１
2010007198.tif 000002
【特許請求の範囲】
【請求項１】
短冊状シートの片面に人体の皮膚を傷めない感圧性接着剤をコーティングしたことを特徴とする乳房を美しく見せるブラジャ。
【発明の詳細な説明】
【技術分野】
【０００１】
本発明は女性が胸に装着するブラジャに関し、特に女性の乳房を美しく見せるブラジャに関する。
【背景技術】
【０００２】
従来、女性が装着するブラジャは、肩紐で乳房を支え背中にベルトを回して止めるものやヌーブラがほとんどであった。
【発明の開示】
【発明が解決しようとする課題】
【０００３】
すべての女性は美しくなりたい願望がある。そして、その代表的なものが乳房が小さいのを大きく見せるとか、中年で垂れ下がった乳房を上げたいとかの願望があるが、達成できなかった。又、従来のブラジャは肩紐で乳房を支えるので肩が凝り、又、紐が肩へ出て見苦しかった。さらに、従来のブラジャは背中にベルトを回して止めるので、美しい背中を見せることが出来なかった。また、ヌーブラにしても肩紐が無いため下方へ落ち、且つ夏など汗をかくと乳房から外れてしまう欠点があった。
【課題を解決するための手段】
【０００４】
本発明による乳房を美しく見せるブラジャは、短冊状のシートの片面に肌を傷めない感圧性接着剤をコーティングした前記シートの一端を脇の下から張り、両乳房を内側に寄せ且つ上方へ上げながらその下の肌に徐々に前記短冊状シートを張り、前記短冊状シートの他端をもう片方の脇の方に張ることにより、両乳房を内側へ寄せ且つ上方向へ上げ且つ肩紐が無く背ベルトを無くする。
【発明の効果】
【０００５】
第１の効果は、小さい乳房でも大きく見せることが出来、垂れ下がった乳房を押上げ且つ美しい谷間を作ることが出来る。第２の効果は、肩紐が無いので肩や二の腕を全部出すことが出来る。第３の効果は、背中のベルトが無いので背中を出すことが出来、女性を美しく見せることができる。第４の効果は、肩紐が無いので装着していて肩が凝ることが無い。第５の効果は、背中にベルトが無いので背中を締め付けることが無く、背中に皺がよらない。第５の効果は、両脇の下まで背着されているので、汗をかいてもブラジャが下に落ちることが無い。第７の効果は、形状が扁平なので、平らにしたりグルグル巻きにしたりして格納スペースをとらない。第８の効果は、扁平なので大量急速コーティングで出来る上、同時スリッティングで形成できるので安価に量産できるし在庫もスペースをとらない。第９の効果は、使用に当たっては、女性の体格が個々に異なるのに合わせ、長さや幅を簡単にカットすることにより各人にフィットする最適のサイズを作ることが容易である。第１０の効果は、起きないで寝ながら装着もできるので装着が容易で早くできる。
【発明を実施するための最良の形態】
【０００６】
片面に人体の皮膚を傷めない感圧性接着剤をコーティングしたシートを短冊状にし、これを脇の下から脇の下に貼る事により乳房を美しく見せるブラジャ。
【実施例】
【０００７】
次に、本発明の実施例について図面を参照して説明する。
図１は通常の女性を示し、乳房１が小さく悩んでいる人が多い。
また、図２の如く中年以降の女性は乳房２が垂れ下がって悩んでいる人が多い。さらに、図３の如く日本女性の乳房３は一般的に外側に向いており、谷間が無いので谷間を作りたい人が多い。
図４は、以上の女性の悩みを解決するための従来のブラジャ５を示す。
図に示す如く、従来のブラジャは肩紐６があり、これにより乳房を引き上げているので肩が凝る。また、肩紐６により肩や二の腕が出た衣装を着ることができないので、７の如き衣装となり女性としての美しさを半減させてしまう。また、図５の如く、背中に止めベルト８を設けるので、背中を見せる衣装を着ることが出来ず女性の美しさを半減させ、背中を隠した衣装７のみしか着用できなかった。
図６は、上記の欠点を除去するため考えられたヌーブラ９であり、お椀上のプラスティックの内側に糊を塗ったものであるが、肩紐が無いため下方向４へ下り、曲面に接着剤を塗るのでムラで品質も悪く夏など汗をかくと乳房から外れてしまう。しかも、１万円と高価であった。
図７は、本発明の乳房を美しく見せるブラジャの第１の実施例を示し、長さＬ，幅Ｗの短冊状のシート３２である。この長さＬは実験上４５０〜５５０ｍｍ，幅Wは５０〜７５ｍｍが前後が適当とのデータを得た。
図８は、図７の短冊状シート３２の断面図であり、サブストレート１０の片面に人の皮膚を傷めない感圧性接着剤１１をコーティングし、その上にライナ１２を貼り合わせたものである。
図９は、図８の短冊状シート３２の構造を説明したものであり、サブストレート１０は厚さ１／１６インチ，白色，４＃  クロスリンク  ポリエチレン  発砲シートであり、感圧性接着剤１１はアクリル医学用接着剤であり、ライナ１２は８４＃  シリコン  ポリコート  クラフト  剥離紙である。この性能は、１８０°ピール接着力はｍｉｎ．５０オンス／インチ，リリースレベルはｍａｘ．１００ｇ／インチ，コートウェイトは１．９５オンス／ヤード平方，ライナー無しの厚みは６４ミル，全厚は７１ミル，であり、この材料の特徴は非常に良く皮膚に接着し、皮膚を傷めず、クッション性があり、簡単にダイカットできる。その結果、長く使用でき、皮膚を傷めず気持ちが良く、デザインが自由に出来る。この貯蔵条件は温度２１℃、相対湿度５０％が望ましい。
図１０は、本発明ブラジャ量産製造ラインの一実施例であり、発砲シートサブストレート１０のロールを図で左の方に流し、ホッパ３４に入れた人肌を傷めない感圧性接着剤３５をコーティングローラ３３でサブストレート１０にコーティングし、これをオーブン３６（実際は長い）を通して感圧接着剤１１面を形成し、次にライナ１２を、張り合わせロール３７で圧着しつつ感圧性接着剤１１面に張り合わせたものをスリッタ１４で幅２インチにスリットして２インチのスリットされたロール１３とし、これを図７の如く長さ５０ｃｍにカットする。スリット幅は２インチ以外でもよい。
図１１〜図１５は、本発明の乳房を美しく見せるブラジャの使用方法を示し、図１１は、脇の下１５に本発明ブラジャの一端１６を貼り付け、次に乳房を上方向１７に上げ、更に図１２の如く乳房を両側から内方向１８寄せ、本発明ブラジャの中央部１９を乳房の乳首下辺りに貼り、本発明ブラジャの他端２０を他の脇の下２１に貼る。
本発明ブラジャを装着した場合、衣装３８は胸を大きく、肩、二の腕、背中を開けたものを着れるので女性が美しくなる。
図１３は、本発明ブラジャを使用した人を背中から見た図であり、背中がまったく綺麗に出るし、肩紐も無い。
図１４は、本発明の乳房を美しく見せるブラジャを寝ながら装着する方法を示し、乳房１を上方２２に上げ、脇の下１５に本発明ブラジャの一端１６を貼り、他の一端で図１５の如く胸に巻きつける。この方法だと、乳房が垂れないで装着できるので容易であり、起きずに寝ながら装着できるので容易且つ早く装着できる。
図１６は本発明の乳房を美しく見せるブラジャの第2の実施例であり、本発明ブラジャの中央に凹み２３を設け、両端のコーナー２４部分をＲ（丸み）を取ったものである。
図１７は本発明の乳房を美しく見せるブラジャの第３の実施例であって、人肌色のシート２５に多数の空気抜け穴２６を設け、その両端に人肌用医学接着剤２７を貼り合わせたものである。この人肌用医学接着剤２７は図１８の如く、ライナ２８の上に人肌用医学接着剤２７の層を設け、この接着面をシート２５に圧着して、前記人肌用医学接着剤２７のみをアドヒシーブトランスファーしたものである。図１７の実施例により、本発明ブラジャ２５は人肌色であるので、装着しても装着しているかどうか見分けがつかない。また、空気や汗を通す小さい空気抜け穴２６が設けられているので蒸れないし、ずれ落ちることもないし、汗もかかない。
図１９は本発明の本発明の乳房を美しく見せるブラジャの第４の実施例を示し、発泡性のサブストレート１０の上に花柄２９や製品名や取扱注意等の文字３０を印刷し、これを透明袋３１に入れてシールしたものである。この場合、外側包装物である透明袋３１に製品名や取り扱い方などを印刷してもよい。
【図面の簡単な説明】
【０００８】
【図１】乳房が小さい通常の女性の側面図である。
【図２】乳房が垂れ下がった中年以降の女性の側面図である。
【図３】乳房が外側に向いて谷間が無い女性の正面図である。
【図４】従来の肩紐と止めベルトのあるブラジャを装着した女性の正面図である。
【図５】従来の肩紐と止めベルトのあるブラジャを装着した女性の背面図である。
【図６】従来のヌーブラを装着した女性の正面図である。
【図７】本発明の乳房を美しく見せるブラジャの第1の実施例を示す正面図である。
【図８】同実施例の図７における乳房を美しく見せるブラジャの断面図である。
【図９】同実施例の図７および図８における乳房を美しく見せるブラジャの構造を説明するための外観図である。
【図１０】本発明ブラジャ量産製造ラインの一実施例を示す側面図である。
【図１１】同実施例の乳房を美しく見せるブラジャを装着した場合の側面図である。
【図１２】同実施例の乳房を美しく見せるブラジャを装着した場合の正面図である。
【図１３】同実施例の乳房を美しく見せるブラジャを装着した場合の背面図である。
【図１４】同実施例の乳房を美しく見せるブラジャを寝ながら装着する方法を示す側面図である。
【図１５】同実施例の乳房を美しく見せるブラジャを寝ながら装着した場合の側面図である。
【図１６】本発明の乳房を美しく見せるブラジャの第２の実施例を示す正面図である。
【図１７】本発明の乳房を美しく見せるブラジャの第３の実施例を示す正面図である。
【図１８】同実施例の乳房を美しく見せるブラジャの断面図である。
【図１９】本発明の乳房を美しく見せるブラジャの第４の実施例を示す正面図である。
【符号の説明】
【０００９】
１、２、３    乳房
５  従来のブラジャ
６  肩紐
７  衣装
８  止めベルト
９  従来のヌーブラ
１０  サブストレート
１１  感圧性接着剤
１２  ライナ
１３  スリットされたロール
１４  スリッタ
１５  一方の脇の下
１６  本発明ブラジャの一端
１７  上方
１８  内方向
１９  本発明ブラジャの中央部
２０  本発明ブラジャの他端
２１  他方の脇の下
２２  上方
２３  凹み
２４  コーナー
２５  シート
２６  空気抜け穴
２７  人肌用医学接着剤
２８  ライナ
２９  花柄
３０  文字
３１  透明袋
３２  短冊状シート
３３  コーティングローラ
３４  ポッパ
３５  感圧性接着剤
３６  オーブン
３７  ロール
３８  衣装
【図１】
2010007198.tif 000003
【図２】
2010007198.tif 000004
【図３】
2010007198.tif 000005
【図４】
2010007198.tif 000006
【図５】
2010007198.tif 000007
【図６】
2010007198.tif 000008
【図７】
2010007198.tif 000009
【図８】
2010007198.tif 000010
【図９】
2010007198.tif 000011
【図１０】
2010007198.tif 000012
【図１１】
2010007198.tif 000013
【図１２】
2010007198.tif 000014
【図１３】
2010007198.tif 000015
【図１４】
2010007198.tif 000016
【図１５】
2010007198.tif 000017
【図１６】
2010007198.tif 000018
【図１７】
2010007198.tif 000019
【図１８】
2010007198.tif 000020
【図１９】
2010007198.tif 000021